(57)【要約】【課題】特別な注意を要しなくとも、素早く、かつ、間違いなく用紙を綴じる向きを定めることができる綴じ具を提供すること。【解決手段】複数の綴じ片２を有する綴じ具１であって、予め用紙の側辺に穿設した孔内に綴じ片２を挿通して、複数枚の用紙を綴じるように製本し、さらに、綴じ方向を識別する表示部１０、１１を備える。【選択図】        図１
2004338221.tif 000002
【特許請求の範囲】
【請求項１】
複数の綴じ片を有する綴じ具において、綴じ方向を識別する表示部を備えることを特徴とする綴じ具。
【請求項２】
前記表示部は、前記綴じ具の基部の一端に形成された突出部または窪み部であることを特徴とする請求項１に記載の綴じ具。
【請求項３】
前記表示部は、前記綴じ具の基部の一端に形成された突出部と、他端に形成され、かつ前記突出部と嵌合する窪み部であることを特徴とする請求項１に記載の綴じ具。
【請求項４】
前記表示部は、前記綴じ具の基部の一端に形成された打抜き部、膨出部または印刷部であることを特徴とする請求項１に記載の綴じ具。
【請求項５】
前記表示部の形状は矢印状であることを特徴とする請求項４に記載の綴じ具。
【請求項６】
前記表示部は、前記綴じ具の一端にペインティングされた表示部であることを特徴とする請求項１に記載の綴じ具。
【発明の詳細な説明】
【０００１】
【発明の属する技術分野】
本発明は、複数枚の用紙を綴じる綴じ具に関する。
【０００２】
【従来の技術】
図５の（Ａ）に示すように、従来、複数枚の用紙９を綴じるために、これら用紙９の側辺に予め孔（綴じ孔）８を穿設して、複数の綴じ片（綴じ部材）２を有する綴じ具１を用いて、これら綴じ片２を孔８内に挿通して製本する場合がある。この綴じ具１には様々な種類があるが、このうちの一つとして、綴じ片２としてプラスチック製のカールリングまたはコームリング２を備えたリングバインダー１がある。
【０００３】
図５の（Ｂ）に示すように、リングバインダー１は、長手方向に延びる基部（背）３と、この基部３から周方向に円弧状に延びるカールリング２とを有するように構成されている。カールリング２は基部３上に複数、連続して設けられるが、製本作業を容易にするため、先端部（爪）２ａを先細るように形成する場合がある。通常、カールリング２と基部３とはプラスチックから一体に形成されており、またカールリング２は加熱されて円弧状に湾曲されて、爪２ａを基部３に当接させている。このように、カールリング２は略円形状の閉ループを成すように付勢されているが、可撓性を有するため、符号２’に示すように、この付勢力を超える外力を加えると開口して、符号Ｘに示す方向から、用紙９の孔８を爪２ａに掛合させることが可能になる。
本発明では、リングバインダーの具体的な製本手段について特定しないが、例えば、綴じ補助具やバインダー設置具等を用いてリングバインダーを位置決めして、リング開閉具等を用いてカールリングを開口させて製本する綴じ装置（特許文献１）や、プラスチックリング製本機（非特許文献１参照）等を利用してもよい。
【０００４】
ただし、リングバインダー１を用いて製本する場合には、カールリング２の向き、つまり用紙を綴じる向きを揃える必要がある。しかしながら、上述のように通常、カールリング２は付勢力により基部３と当接して、略円形状の閉ループを成しているため、リングバインダー１は一見しただけでは左右対称に見え、用紙を綴じる向きが左右のどちら側にあるのかすぐに判別できない。この判別を誤ると、製本が正しく行われないため、支障を生じる。このため、例えば、特許文献１や非特許文献１に記載の従来例のようにカールリングを開口させる場合には、使用者は用紙を綴じる向きを確認する必要がある。しかし、製本作業の都度、この確認作業を行うことは煩わしいため、特別な注意を要しなくとも、素早く、かつ、間違いなく綴じ方向を識別することができる綴じ具が望まれている。
【０００５】
【特許文献１】
特開２００１−１９１６７８号公報
【非特許文献１】
「２００１カール総合カタログ」、カール事務器株式会社、２００１年、ｐ．１６
【０００６】
【発明が解決しようとする課題】
本発明は、以上の点に鑑みてなされたものであり、特別な注意を要しなくとも、素早く、かつ、間違いなく綴じ方向を識別することができる綴じ具を提供することを目的とする。
【０００７】
【課題を解決するための手段】
上記目的を達成するために、請求項１に記載の発明は、複数の綴じ片を有する綴じ具において、綴じ方向を識別する表示部を備えることを特徴とする。
このように構成することにより、表示部の視認若しくは触認を行うだけで、特別な注意を要しなくとも、素早く、かつ、間違いなく綴じ方向を識別することができ、従って製本作業の効率を向上することができる。
【０００８】
次に、請求項２に記載した発明においては、請求項１に記載されたものにおいて、前記表示部は、前記綴じ具の基部の一端に形成された突出部または窪み部であることを特徴とする。
この構成では、綴じ具の基部の端部形状を突出状または窪み状とすることで、綴じ具に方向性を与えて、綴じ方向を明瞭にできる。
【０００９】
さらに、請求項３に記載した発明においては、請求項１に記載されたものにおいて、前記表示部は、前記綴じ具の基部の一端に形成された突出部と、他端に形成され、かつ前記突出部と嵌合する窪み部であることを特徴とする。
この構成では、綴じ方向を明瞭にするとともに、共通の加工具を用いて突出部と窪み部を形成することができる。
【００１０】
さらに、請求項４に記載した発明においては、請求項１に記載されたものにおいて、前記表示部は、前記綴じ具の基部の一端に形成された打抜き部、膨出部または印刷部であることを特徴とする。
この構成では、綴じ具の基部の一方の端部のみを打抜きまたは膨出するように加工するか、または綴じ具の基部の一方の端部のみに印刷部を備えることにより、綴じ方向を明瞭にできる。
【００１１】
さらに、請求項５に記載した発明においては、請求項４に記載されたものにおいて、前記表示部の形状は矢印状であることを特徴とする。
この構成では、表示部の形状を指向性を有する矢印状とすることで、綴じ方向をより明瞭にできる。
【００１２】
そして、請求項６に記載した発明においては、請求項１に記載されたものにおいて、前記表示部は、前記綴じ具の一端にペインティングされた表示部であることを特徴とする。
この構成では、綴じ具に機械加工を施すことなく、綴じ方向を明瞭にできる。
【００１３】
本発明に係る綴じ具は基本的には以上のように構成されるが、好ましくは、綴じ具の具体的な種類は、綴じ片としてカールリングを備えたリングバインダーである。この際、用紙を綴じる向きを示す表示部は、綴じ具の端部の双方またはいずれか一方に設けてもよく、または中央に設けてもよい。また、表示部は、綴じ具の加工時と同時に設けられてもよく、または別の工程から設けられてもよい。また、表示部は、カッティングやパンチング等の物理的な手段によって設けられてもよく、またはペインティング等、他の任意の手段によって設けられてもよい。また、表示部は綴じ具と一体に設けられてもよく、または別体の部材として設けられてもよい。さらに、綴じ具の具体的な種類はリングバインダーに限定されず、他、例えばツインリングでもよい。そして、綴じ具によって綴じ込まれる対象物は用紙に限定されず、他、例えばプラスチック製の薄板等を綴じ込めてもよい。
【００１４】
【発明の実施の形態】
以下、本発明の好適な実施形態を、添付した図を参照して説明する。
図１の（Ａ）は、本発明の実施の形態に係る綴じ具１を示す図であり、特に、製本作業の直前に、単体で取り出された状態を示している。図示した綴じ具１は複数の綴じ片２を有し、図５の（Ａ）に示したように、予め用紙９の側辺に穿設した孔８内にこれら綴じ片２を挿通して、複数枚の用紙９等を綴じるように製本する。好ましくは、綴じ具１は、プラスチック製のカールリング（綴じ片）２を基部３に連続して備えたリングバインダー１である。具体的には、図５の（Ｂ）に示したように、カールリング２は基部３と一体に形成されて、円弧状に湾曲して延びて、所定の付勢力によって、突出側の端部２ａを基部３と当接させている。ただし、カールリング２は可撓性を有し、付勢力を超える外力を加えると、符号２’に示すように開口でき、またこの外力がなくなると、再度上記付勢力によって元の形状に戻ることができる。このように、リングバインダー１はカールリング２のうちの一方を開閉自在に構成するため、符号Ｘに示す、カールリング２の開閉側から、複数枚の用紙９等を綴じることができる。以下、方向Ｘを、リングバインダー１によって用紙等を綴じる、綴じ方向と定める。
【００１５】
カールリング２は略円筒形状に形成されるため、製本後の用紙を左右に天地方向にずれのないように見開くことができ、またプラスチック製のため、安価に提供でき、さらに可撓性を有するため、製本作業を繰り返して行えることができるという長所を有する。ただし、カールリング２は左右対称に見えるため、従来、このどちら側から開口して製本を行えるのか速やかに判断できない場合があった。このため、本発明に係る実施の形態では、リングバインダー１に綴じ方向Ｘを示す表示部を備えて、この表示部の視認若しくは触認を行うだけで、特別な注意を要しなくとも、素早く、かつ、間違いなく用紙等を綴じる向きＸを定めることができるようにする。
好ましくは、表示部は長手方向に延びるリングバインダー１の上下を定めることによって、この左右のどちら側が綴じ方向Ｘに相当するのかを素早く、かつ、間違いなく認識できるようにする。例えば、図５の（Ａ）及び（Ｂ）に示すように、用紙９を左側から綴じる場合には、Ｙ方向を上側にして、リングバインダー１の上下を定めることで、綴じ方向Ｘを一意的に定める。ただし、カールリング２は綴じられる用紙９に対して、この上方に開口するものとする（矢印Ｚ参照）。尚、この他の方向から製本することは任意であるが、リングバインダー１の上下を定めることによって、同様に綴じ方向Ｘを定めるものとする。
【００１６】
上記表示部は、リングバインダー１の任意の場所に、適当な形状と大きさで設けられる。ただし、この効果を高めるために、例えば、図１の（Ａ）の破線に示すように、綴じ具１の両端部７側に設けて、使用者による視認若しくは触認が容易に行われるようにしてもよい。この場合、リングバインダー１を取り出して、この端部７を視認若しくは触認するだけで、綴じ方向Ｘを理解して、適切な方向からリングバインダー１を任意の綴じ装置にセットして、製本を行うことが可能になる。
具体的には、例えば、図１の（Ｂ）に示すように、リングバインダー１の両端部７側に、リングバインダー１の上部（上方）を示す凸状の表示部１０と、下部（下方）を示す凹状の表示部１１とを夫々設けてもよい。図示した実施の形態では、表示部１０は略円弧状に基部３の端部７から突出するように、外側に延びる突出部であって、リングバインダー１の上部を示している。また、表示部１１は、表示部１０と対になるように、略円弧状に基部３内に切り込まれるように、内側に延びる窪み部であって、リングバインダー１の下部を示している。故に、これら表示部１０、１１の双方またはいずれかを視認若しくは触認するだけで、リングバインダー１の上下、つまり綴じる向きＸが一目瞭然となる。
【００１７】
ただし、綴じ方向Ｘを示す表示部１０、１１の形状は図１の（Ｂ）に示したものに限定されず、他、様々に形成できる。例えば、表示部１０は、略台形状または略三角形状、さらには自由形状として基部３から突出するように延びて、リングバインダー１の上部を示してもよい。また、表示部１１は、表示部１０と対に嵌合するように、略台形状または略三角形状、さらには自由形状として基部３内に切り込まれるように延びて、リングバインダー１の下部を示してもよい。この場合も、同様にして、綴じ具１の端部７側から綴じる向きＸが一目瞭然となる。
このように、図１の（Ｂ）に示した実施の形態では、任意の形状から、基部３の一方の形状を凸状にし、かつ、他方を凹状にして、表示部１０、１１を形成して備えて、リングバインダー１の上下、つまり綴じ方向Ｘを定める。ただし、基部３の凸状側の形状と凹状側の形状とは対に嵌合するように形成されなくてもよい。また、これら表示部１０、１１は視覚と触覚の双方またはいずれか一方を用いて識別される。
【００１８】
尚、綴じ方向Ｘを示す表示部１０、１１は任意の加工手段から形成してもよい。例えば、これら表示部１０、１１は、リングバインダー１を金型から成形する際に、同時に形成してもよい。この場合、カット金型の形状を変更することで、表示部１０、１１を形成することができる。
また、リングバインダー１を金型から成形した後に、様々な用紙の規格に合わせて、基部３の長さを揃えるために、リングバインダー１をカッティング処理することがある。このため、この加工と同時に、表示部１０、１１を形成してもよい。この場合、カッティング処理を行う工具の形状を変更することで、表示部１０、１１を形成することができる。尚、表示部１０、１１の形状を対に嵌合する突出部１０と窪み部１１として形成する場合、共通の加工具を用いてこれら突出部１０と窪み部１１を形成することができる。
さらに、リングバインダー１の加工工程とは別工程で、任意の手段から、リングバインダー１に上記表示部１０、１１を形成してもよい。
【００１９】
さらに、綴じ方向Ｘを示す表示部は、図１の（Ｂ）に示したように、常に基部３の両端部７側に設ける必要はなく、しかし基部３の端部７のうちいずれか一方にのみ設けてもよい。例えば、図２に示した実施の形態では、表示部１２は、基部３の端部７の一方にのみ、リングバインダー１の上部を示すように矢印の形状に形成して設けられて、綴じる向きＸを一目瞭然とする。ただし、この場合、表示部１２は基部３の端部７の一方にのみ設けられることで、既に方向性を備えているため、必ずしも図示したような矢印の形状のように、指向性を有するように形成される必要はなく、例えば、円形状または星型の形状のように、任意の形状に形成して設けられてもよい。
尚、表示部１２は、上述のように、リングバインダー１を金型から成形する際に、同時に形成されてもよく、または、基部３をカッティング処理する際に、同時に形成されてもよい。さらに、基部３の加工工程とは別工程で、任意の手段から、リングバインダー１に形成されてもよい。この際、表示部１２は、基部３の表面を孔状に貫通するように打抜き部として加工されて設けられてもよく、または基部３の表面を貫通しないが、しかし表面に凸凹状に高低差を設ける膨出部として加工されて設けられてもよい。
【００２０】
さらに、綴じ方向Ｘを示す表示部は、上述した機械的な加工によらず、しかし基部３の端部７のいずれか一方の色彩等を一部変更することで設けられてもよい。例えば、図３に示した実施の形態では、表示部１３は、基部３の端部７の一方にのみ、リングバインダー１の上部を示すように印刷またはペインティングして設けられて、綴じ方向Ｘを一目瞭然とする。ただし、この位置は端部７に限定される必要はなく、しかし基部３の略中央から片方側にオフセットされて位置決めされれば足りる。この際、表示部１３は任意の形状で、例えば模様や英数字等をなすようにペインティングされてもよい。さらに、表示部１３は常に基部３に設けられる必要はなく、例えば、カールリング２に対してペインティングして設けられて、綴じ方向Ｘを一目瞭然としてもよい。さらに、表示部は、カールリング２と基部３の双方に対してペインティングして設けられて、綴じ方向Ｘを一目瞭然としてもよい。さらに、図３に示した表示部１３は、常に基部３と異なる色彩で色塗りされて設けられる必要はなく、例えば、基部３全体にペインティングする際に、該当箇所のみをペインティングしないように、色抜きして設けられてもよい。さらに、表示部１３は、該当する任意のシール部材を基部３に貼付することで設けられてもよい。
【００２１】
さらに、綴じ方向Ｘを示す表示部は、常にリングバインダー１と一体に設けられる必要はなく、例えば、図４に示すように、別体の任意の部材１６を基部３の端部７の一方に取付けることで、リングバインダー１の上部を示すように、綴じ方向Ｘを一目瞭然としてもよい。例えば、符号１４に示すように、基部３の端部７の一方に孔明けして、この孔１４に紐やチェーン等の任意の接続部（取付部）１５を介して、別体の部材１６を表示部として取付けてもよい。この表示部１６は任意の素材から、任意の形状と大きさで形成される。尚、孔１４は、図２に示した打抜きされた表示部１２を利用してもよい。
このようにリングバインダー１に表示部１６を設けることで、リングバインダー１を取り上げたときに、使用者の視覚のみならず、表示部１６の重量感から、綴じ方向Ｘを速やかに判別することができる。尚、表示部１６は綴じ方向Ｘを定めるだけでなく、他、リングバインダー１の意匠性を高めるようにしてもよい。また、この表示部１６はネームプレートや、製本後の冊子のしおりとしての機能を備えるようにしてもよい。
【００２２】
以上、図１〜図４を参照して説明したように、本発明に係る実施の形態では、製本用の綴じ具１に綴じる向きＸを示す表示部１０、１１、１２、１３または１６を備えることによって、素早く、かつ、間違いなく用紙等を綴じる、綴じ方向Ｘを定めることができ、従って製本作業の効率を向上することができる。
この際、本発明に係る実施の形態では、図１の（Ａ）の破線に示すように、綴じ具１の両端部７側、またはいずれか一方に綴じ方向Ｘを示す表示部を設ける。ただし、綴じ方向Ｘを示す表示部は、常に基部３の端部７側に限定して設けられる必要はなく、例えば、綴じ具１の中央に設けられてもよい。この場合、表示部を単に設けただけでは、リングバインダー１の上下は定まらないため、例えば、この形状を矢印形状のような指向性を有する形状として、リングバインダー１の上下を一目瞭然とするのが好ましい。
【００２３】
さらに、上記表示部によって、綴じ方向Ｘを適切に定めることは、リングバインダー１による製本作業に限定されず、他、異なる種類の綴じ具１に対して同様に応用してもよい。例えば、ツインリング、ダブルリングまたはダブルループリングと呼ばれる１本のワイヤで製本するツインリング製本（ダブルリング製本）があるが、この製本では、製本前の開口したツインリングの断面形状を所定方向から加圧変形して、閉口させることで、複数枚の用紙等を綴じるように製本している。この際、加圧変形方向を適切に定めることが必要となり、従来、ツインリング製本する際に、使用者にツインリングの方向、つまり用紙等を綴じる向きＸを適切に合わせることを求めている。これに対して、本発明のさらなる他の実施の形態では、ツインリングに綴じ方向Ｘを示す任意の表示部を備えることによって、より素早く、かつ、間違いなく綴じ方向Ｘを定めることができるようにしてもよい。ただし、この表示部は、例えば、ツインリングの両端部の一方のみを任意の形状に変形させて、綴じる向きＸを示すように設けられてもよく、または、図１〜図４を参照して説明したものと同様に設けられてもよい。
【００２４】
【発明の効果】
本発明は以上説明したように構成された綴じ具であるから、請求項１に記載した発明によれば、表示部の視認若しくは触認を行うだけで、特別な注意を要しなくとも、素早く、かつ、間違いなく綴じ方向を識別することができ、従って製本作業の効率を向上することが可能になる。
【００２５】
請求項２に記載した発明によれば、上記効果に加え、綴じ具の基部の端部形状を突出状または窪み状とすることで、綴じ具に方向性を与えて、綴じ方向を明瞭にすることが可能になる。
【００２６】
請求項３に記載した発明によれば、請求項１に記載の効果に加え、綴じ方向を明瞭にするとともに、共通の加工具を用いて突出部と窪み部を形成することが可能になる。
【００２７】
請求項４に記載した発明によれば、請求項１に記載の効果に加え、綴じ具の基部の一方の端部のみを打抜きまたは膨出するように加工するか、または綴じ具の基部の一方の端部のみに印刷部を備えることにより、綴じ方向を明瞭にすることが可能になる。
【００２８】
請求項５に記載した発明によれば、請求項４に記載の効果に加え、表示部の形状を指向性を有する矢印状とすることで、綴じ方向をより明瞭にすることが可能になる。
【００２９】
請求項６に記載した発明によれば、請求項１に記載の効果に加え、綴じ具に機械加工を施すことなく、綴じ方向を明瞭にすることが可能になる。
【図面の簡単な説明】
【図１】本発明の実施の形態に係る綴じ具の全体と、この両端部とを（Ａ）と（Ｂ）に分けて示す図である。
【図２】図１の（Ｂ）と同様であるが、しかし綴じ具の片方のみに打抜きされて設けられる表示部を示す図である。
【図３】図１の（Ｂ）と同様であるが、しかし綴じ具の片方のみに印刷して設けられる表示部を示す図である。
【図４】綴じ具と別体に設けられる表示部を示す図である。
【図５】製本後の用紙を示す図（Ａ）と、図５の（Ａ）に示した綴じ具を単体で取り出して示す図（Ｂ）である。
【符号の説明】
１                            綴じ具（リングバインダー）
２                            綴じ片（カールリングまたはコームリング）
３                            基部
１０、１１、１２、１３、１６  表示部
【図１】
2004338221.tif 000003
【図２】
2004338221.tif 000004
【図３】
2004338221.tif 000005
【図４】
2004338221.tif 000006
【図５】
2004338221.tif 000007